(57)【要約】【課題】排尿後滴下があったとしてもズボン等のアウターに滲み出して汚すことのない、着用感の良好な男性用下着をを提供する。【解決手段】男性用下着１００は、脇部を覆う前身側脇部１３２および臀部を覆う後身頃１３４から構成される一体化身生地部１３０と、裾部１４０と、腰ゴム部１５０と、股部用生地１６０と、男性用局部を収納する膨出部を備えた前立て部１２０とが縫合されて構成されている。この股部用生地１６０は略長方形であってその短辺は男性用下着１００における太腿部の周囲長の略１／４以下の長さＬ（１）であって、かつ、股部用生地中心線が下着中心線よりも背中側に位置している。【選択図】図３
2014114516.tif 000002
【特許請求の範囲】
【請求項１】
臀部および脇部を覆う身生地部と、腰ゴム部と、局部を収納する膨出部を備えた前立て部とが縫合された男性用下着であって、
前記男性用下着を平面に載置した状態における腹側の平面視で、前記前立て部の略中央から下方へ向けて引いた直線と交錯する縫合線が視認できないことを特徴とする、男性用下着。
【請求項２】
前記身生地部の背中側股部と前記前立て部の腹側股部との間に股部用生地が配置され、前記前立て部と前記股部用生地とは一体化された生地であることを特徴とする、請求項１に記載の男性用下着。
【請求項３】
前記身生地部の背中側股部と前記前立て部の腹側股部との間に股部用生地が配置され、前記前立て部と前記股部用生地とは別体の生地であって、
前記股部用生地は略長方形であってその短辺は前記男性用下着における太腿部の周囲長の略１／４以下であって、かつ、前記股部用生地における腹側と背中側との略中心線が、前記男性用下着における腹側と背中側との略中心線よりも背中側にあることを特徴とする、請求項１に記載の男性用下着。
【請求項４】
臀部および脇部を覆う身生地部と、腰ゴム部と、局部を収納する膨出部を備えた前立て部と、股部用生地とが縫合された男性用下着であって、
前記股部用生地は略長方形であってその短辺は前記男性用下着における太腿部の周囲長の略１／４以下であって、かつ、前記股部用生地における腹側と背中側との略中心線が、前記男性用下着における腹側と背中側との略中心線よりも背中側にあることを特徴とする、男性用下着。
【請求項５】
前記前立て部において、肌側の反対の面が撥水加工されていることを特徴とする、請求項１〜請求項４のいずれかに記載の男性用下着。
【請求項６】
前記前立て部は、表側前立て部と裏側前立て部とから構成され、前開きの表側開口部を形成し、
前記裏側前立て部において、肌側の反対の面が撥水加工されていることを特徴とする、請求項１〜請求項４のいずれかに記載の男性用下着。
【請求項７】
前記男性用下着を構成する各部を縫合する糸は、防水糸であることを特徴とする、請求項１〜請求項６のいずれかに記載の男性用下着。
【発明の詳細な説明】
【技術分野】
【０００１】
本発明は、男性が立位にて排尿した後に局部を下着内に収納したときに、尿道に残存等した尿が下着内で滴下しても、ズボン等のアウターが汚れることのない男性用下着に関する。
【背景技術】
【０００２】
近年、少子高齢化が進む我が国では、２０２０年には４人に１人が高齢者になると予測されている。加齢とともに衰える身体機能の中でも、特に尿失禁または尿漏れに関する問題を抱える人は非常に多い。また、女性の場合、加齢とともに尿失禁または尿漏れによる悩みを抱える人が増加してくる傾向にある。従来、この解決策として、通常の生活をしている尿漏れ量の少ない人（軽失禁）には、厚手の生地に防水カバーをつけたような失禁パンツで対応してきて、尿漏れ量の多い人（軽失禁〜中失禁）には、紙オムツで対応したり紙パットをオムツカバーに付けて対応したりしてきた。この尿漏れ量の程度は、個人差が大きく、様々な商品（介護商品を含む）が市場に出回っている。
【０００３】
一方、男性においては、健常者であっても、このような軽失禁よりもさらに少量の尿が滲み出る軽い症状であって、排尿後に局部（陰茎）をよく振ったにもかかわらず、パンツに局部を収納してズボン等のアウターのファスナーを閉じて、小便器から離れようと歩き始めると、じわじわとまたはだらだらと尿が滲み出ることがある。加齢が進むに従い（たとえば５０歳代半ば以降）、排尿後に尿道内に残存している尿が滴下する傾向は多くなる。これは、尿道をとりかこむ球海綿体筋の収縮機能が低下することなどが原因と言われている。この排尿後滴下の程度は、尿失禁または尿漏れと同じく個人差が大きいものの、軽失禁と呼ばれる場合の尿量（５〜１０ｍｌ）よりも少なく、おおよそ１〜２ｍｌ程度といわれている。
【０００４】
このような排尿後滴下については、上述した女性の尿失禁および尿漏れとは異なり、その尿量の少なさ故に疾病とは言えるものではない。しかしながら、潜在者を含めて、このような排尿後滴下の症状に悩まされる健常な男性は少なくない。このような症状に悩まれる男性の多くは、たとえば、特開２０１１−１７９１３９号公報（特許文献１）に示すような失禁パンツを着用して対応することになる。
【０００５】
この特許文献１に開示された失禁パンツの着用感は、たとえば、特開平１０−１８３４０１号公報（特許文献２）に示すような着用感が良好なパンツとは大きく異なり、好ましい着用感が得られない。
このために、着用感が良好で排尿後滴下の問題を解決するためには、特許文献２に開示されたような履き心地の良いパンツに、特許文献１に開示された平面視略アーモンド形状の尿吸収シートを設ければ良いことになる。
【先行技術文献】
【特許文献】
【０００６】
【特許文献１】特開２０１１−１７９１３９号公報
【特許文献２】特開平１０−１８３４０１号公報
【発明の概要】
【発明が解決しようとする課題】
【０００７】
しかしながら、特許文献１に開示された失禁パンツは、その失禁用パンツ主体部に尿吸収パッドを取り付けるにあたり、尿吸収パッドはパンツ主体部の縫製の途次、前立部と左右の前身頃および後身頃との縫製後に前立部の内面に左右の前身頃間に縫着される。このように縫着してしまうと、ミシンの穿孔穴および／または縫目から尿が伝播して、失禁パンツの表側（すなわちアウターであるズボン側）へ滲み出す可能性がある。
【０００８】
さらに、特許文献１に開示された平面視略アーモンド形状の尿吸収シートを特許文献２に開示されたパンツに適用すると、ミシンの穿孔穴および／または縫目の問題に加えて、着用感を向上させるための膨出部を形成する前身側股部と前身中央生地との縫合位置（特許文献２の図１に示す接続縫着部４０）が、外尿道口の近傍に位置することになり、排尿
後に尿が滲み出た場合に、この縫合位置のミシンの穿孔穴および／または縫目から尿が伝播して、パンツの表側（すなわちアウターであるズボン側）へ滲み出す可能性がある。
【０００９】
このように、たとえ失禁パンツの着用感を向上させることができたとしても、排尿後滴下した尿が縫合線のミシンの穿孔穴や縫目からアウターへ滲み出す可能性がある。
本発明は、このような問題点に鑑みて開発されたもので、疾病者が着用する失禁パンツとは形態が異なり通常の履き心地の良い下着であって、かつ、排尿後滴下があったとしてもズボン等のアウターに滲み出して汚すことのない健常な男性向けの男性用下着を提供することを目的としている。
【課題を解決するための手段】
【００１０】
上記目的を達成するため、本発明に係る男性用下着は以下の技術的手段を講じている。
すなわち、本発明にある局面に係る男性用下着は、臀部および脇部を覆う身生地部と、腰ゴム部と、局部を収納する膨出部を備えた前立て部とが縫合された男性用下着であって、前記男性用下着を平面に載置した状態における腹側の平面視で、前記前立て部の略中央から下方へ向けて引いた直線と交錯する縫合線が視認できないことを特徴とする。
【００１１】
好ましくは、前記身生地部の背中側股部と前記前立て部の腹側股部との間に股部用生地が配置され、前記前立て部と前記股部用生地とは一体化された生地であるように構成することができる。
さらに好ましくは、前記身生地部の背中側股部と前記前立て部の腹側股部との間に股部用生地が配置され、前記前立て部と前記股部用生地とは別体の生地であって、前記股部用生地は略長方形であってその短辺は前記男性用下着における太腿部の周囲長の略１／４以下であって、かつ、前記股部用生地における腹側と背中側との略中心線が、前記男性用下着における腹側と背中側との略中心線よりも背中側にあるように構成することができる。
【００１２】
また、本発明に別の局面に係る男性用下着は、臀部および脇部を覆う身生地部と、腰ゴム部と、局部を収納する膨出部を備えた前立て部と、股部用生地とが縫合された男性用下着であって、前記股部用生地は略長方形であってその短辺は前記男性用下着における太腿部の周囲長の略１／４以下であって、かつ、前記股部用生地における腹側と背中側との略中心線が、前記男性用下着における腹側と背中側との略中心線よりも背中側にあることを特徴とする。
【００１３】
さらに好ましくは、いずれの局面に係る男性用下着においても、前記前立て部において、肌側の反対の面が撥水加工されているように構成することができる。
さらに好ましくは、いずれの局面に係る男性用下着においても、前記前立て部は、表側前立て部と裏側前立て部とから構成され、前開きの表側開口部を形成し、前記裏側前立て部において、肌側の反対の面が撥水加工されているように構成することができる。
【００１４】
さらに好ましくは、いずれの局面に係る男性用下着においても、前記男性用下着を構成する各部を縫合する糸は、防水糸であるように構成することができる。
【発明の効果】
【００１５】
本発明によれば、疾病者が着用する失禁パンツとは形態が異なり通常の履き心地の良い下着であって、かつ、排尿後滴下があったとしてもズボン等のアウターに滲み出して汚すことのない男性用下着を提供することができる。
【図面の簡単な説明】
【００１６】
【図１】本発明に係る男性用下着の概略構成を示す正面図である。
【図２】図１に示す男性用下着の背面図である。
【図３】図１に示す男性用下着を着用した状態で股下を見上げた図である。
【図４】比較例である男性用下着（その１）の概略構成を示す正面図である。
【図５】図４に示す男性用下着を着用した状態で股下を見上げた図である。
【図６】比較例である男性用下着（その２）の概略構成を示す正面図である。
【図７】図６に示す男性用下着を着用した状態で股下を見上げた図である。
【図８】本発明に係る男性用下着の評価結果を示す図である。
【発明を実施するための形態】
【００１７】
以下、本発明の実施の形態として、男性用下着１００を、図面に基づき詳しく説明する
。
＜男性用下着の全体構成＞
図１〜図３は、本実施の形態に係る前開きタイプの男性用下着１００を示す図であって、図１は男性用下着１００の概略構成を示す正面図であって、図２は男性用下着１００の背面図であって、図３は男性用下着１００を着用した状態で股下を見上げた図である。
【００１８】
これらの図に示すように、この男性用下着１００は、大きくは、脇部を覆う前身側脇部１３２および臀部を覆う後身頃１３４から構成される一体化身生地部１３０と、裾部１４０と、腰ゴム部１５０と、股部用生地１６０と、男性用局部を収納する膨出部を備えた前立て部１２０とが縫合されて構成されている。この男性用下着１００を構成する各部を縫合する糸は、防水糸であることが好ましい。
【００１９】
前立て部１２０は、表側前立て部１２２と裏側前立て部１２４との二重構造で構成され、前開きの表側開口部を形成している。裏側前立て部１２４において、肌側の反対の面が撥水加工されており、男性が排尿後に局部（陰茎）をこの男性用下着１００に収納したときに、この男性用下着１００内で滴下した尿は、肌側の面により速やかに吸収されて、撥水加工された肌側の反対の面から尿が滲み出すことを防止している。裏側前立て部１２４を編成する原糸として、綿等の天然繊維以外に、キュプラ、ビスコースレーヨン等の再生セルロース繊維、吸水加工されたポリエステル等の合成繊維等、吸水性を有する繊維を用いることができ、また、編地としてフライス編みやスムース編み、更には天竺編み等の緯編地や、ラッセル編み等の経編地が好適に用いられる。裏側前立て部１２４の肌側の反対の面に施されている撥水加工としては、シリコーン系撥水剤、フッ素系撥水剤など、通常の合成繊維の撥水剤として使用されるものを用いればよく、特に限定されない。中でも、耐久性や安全性の観点から、フッ素系撥水剤が好ましい。加工手段としては、ローラー捺染やスクリーン捺染、インクジェットプリント等の捺染手段により、撥水加工を容易に施すことができる。
【００２０】
捺染による撥水加工は、裏側前立て部１２４の肌側の反対の面の面積に対して４０％以上に施されていることが好ましい。
前立て部１２０が、消臭・抗菌加工されていれば、さらに好ましく、生地片に吸収された体液の臭いが消臭機能によって消臭され、長時間快適な状態を維持することができる。
例えば、特許第３７８７６７５号に開示されているように、原糸となる繊維をキトサン及び／または修飾キトサン、カルボン酸ポリマー、酸化亜鉛及びバインダー樹脂を含む処理液で処理し、これらの被覆層が形成された繊維を用いることにより、優れた消臭効果を奏し、かつ耐洗濯性（耐久性）の良好な肌着等の生地が得られる。なお、肌側の面に吸水加工を施すことも好ましい。吸水加工としては、例えばポリエステルのアルカリ減量加工や、ポリエステルポリアルキレングリコール共重合樹脂いわゆる吸水ポリエステル樹脂や、セルロース、親水シリコン等の親水性を持つ加工剤を繊維表面へ付着することなどが挙げられる。
【００２１】
さらに、このように前立て部１２０の肌側の反対の面から尿が滲み出すことを防止するためであれば、表側前立て部１２２においても、このような吸水加工および／または撥水加工することも好ましい。
また、裏側前立て部１２４の肌側の反対の面を疎水性糸で構成することもできる。疎水性糸は特に限定されないが、ポリプロピレン糸、ポリエステル撥水加工糸、アクリル系撥水加工糸、ナイロン撥水加工糸、アセテート撥水加工糸及びエチレンビニルアルコール撥水加工糸などが好適に用いられる。
【００２２】
表側前立て部１２２は、たとえば、先ず緯編地や経編地などの編地や、または織地などで凸状形側縁部を形成するように裁断しておいて、この側縁部を凸状曲線に沿って一体的に縫合線１７０にて縫合して凸状に膨出した膨出部を備えるように形成されている。これにより、腹部および／または男性用局部を過度に締め付けず、柔らかく被覆できる。
裏側前立て部１２４は、たとえば、一重の緯編地や経編地などの編地や、または織地などにより構成され、裏側前立て部１２４の身丈の長さを表側前立て部１２２の身丈の長さよりも短くしてあり、さらに裏側前立て部１２４の下縁部は、股部側に何等縫合されるこ
となく、開放状に形成して、小用時に局部を容易に取り出せるようにしてある。
【００２３】
一体化身生地部１３０は、前身側脇部１３２および後身頃１３４を一体的に形成してなる一体化身生地部で、縫合線１７０により前立て部１２０と一体的に縫製されている。なお、本実施の形態においては、前身側脇部１３２と後身頃１３４とを一体化した身生地としているが、本発明はこれに限定されるものではなく、別形状の身生地部材（たとえば、前身側脇部１３２と後身頃１３４とが別体）であっても構わない。
【００２４】
裾部１４０は、脚部の裾周り下端部に、輪状に形成した伸縮性のある適宜な細幅生地から形成してあり、一体化身生地部１３０の下端部に、二重に折曲げた状態で裾周りに適宜縫合するようにしてある。
腰ゴム部１５０は、胴回り部に、輪状に形成した伸縮性のある適宜な細幅生地から形成してあり、一体化身生地部１３０、表側前立て部１２２および裏側前立て部１２４のウエスト側上端部に適宜縫合するようにしてある。
【００２５】
股部用生地１６０は、緯編地や経編地などの編地や、または織地などにより構成された長方形状の生地であって、その前身側の縁部において表側前立て部１２２および前身側脇部１３２と縫合線１８０にて縫合され、その後身側の縁部において後身頃１３４と縫合線１９０にて縫合されている。なお、本発明において、前身頃（前身側脇部１３２）および後身頃１３４と別体の股部用生地１６０は必須の構成ではないが、股部用生地１６０によりシック部を形成することにより脚の動きを妨げずスムーズな動作が可能となり、脚を大きく広げるなどの動作をした場合でもパンツに裂けや破れが生じることがなく、またパンツのずり下がりも起こりにくい。
【００２６】
＜股部用生地の構成＞
本実施の形態に係る男性用下着１００は、以下のような特徴を備える股部用生地１６０により構成されている。この股部用生地１６０は略長方形であってその短辺は男性用下着１００における太腿部の周囲長の略１／４以下であって、かつ、股部用生地１６０における腹側と背中側との略中心線が、この男性用下着１００における腹側と背中側との略中心線よりも背中側にあることを特徴とする。
【００２７】
図３に示すように、この男性用下着１００を着用した状態で股下を見上げると、この股部用生地１６０の短辺は男性用下着１００における太腿部の周囲長の略１／４以下である長さＬ（１）であって、かつ、股部用生地１６０における腹側と背中側との略中心線（股部用生地中心線）が、男性用下着における腹側と背中側との略中心線（下着中心線）よりも背中側にあることがわかる。このような構成によると、図１に示すように、男性用下着１００を平面に載置した状態における腹側の平面視で、前立て部１２０の略中央から下方へ向けて引いた直線と交錯する縫合線が視認できない。
【００２８】
これに対して、比較例として、従来の男性用下着２００および男性用下着３００について図を用いて説明する。
図４および図５に示す従来の男性用下着２００は、脇部を覆う前身側脇部２３２および臀部を覆う後身頃２３４から構成される一体化身生地部２３０と、裾部１４０と、腰ゴム部１５０と、股部用生地２６０と、男性用局部を収納する膨出部を備えた前立て部２２０とが縫合されて構成されている。この男性用下着２００を構成する股部用生地２６０は略長方形であってその短辺は男性用下着１００における太腿部の周囲長の略１／４より長い略１／３程度である。
【００２９】
このため、図５に示すように、この男性用下着２００を着用した状態で股下を見上げると、この股部用生地２６０の短辺は男性用下着１００における太腿部の周囲長の略１／４より長い長さＬ（２）である。このような構成によると、図４に示すように、男性用下着２００を平面に載置した状態における腹側の平面視で、前立て部２２０の略中央から下方へ向けて引いた直線と交錯する縫合線２８０が視認できる。
【００３０】
さらに、図６および図７に示す従来の別の男性用下着３００は、脇部を覆う前身側脇部３３２および臀部を覆う後身頃３３４から構成される一体化身生地部３３０と、裾部１４０と、腰ゴム部１５０と、股部用生地３６０と、男性用局部を収納する膨出部を備えた前立て部３２０とが縫合されて構成されている。この男性用下着３００を構成する股部用生
地３６０は略長方形であってその短辺は男性用下着１００における太腿部の周囲長の略１／４以下であるが、股部用生地３６０における腹側と背中側との略中心線が、この男性用下着３００における腹側と背中側との略中心線よりも腹側にある。
【００３１】
このため、図７に示すように、この男性用下着３００を着用した状態で股下を見上げると、この股部用生地３６０の短辺は男性用下着３００における太腿部の周囲長の略１／４以下である長さＬ（３）であるが、股部用生地３６０における腹側と背中側との略中心線（股部用生地中心線）が、男性用下着における腹側と背中側との略中心線（下着中心線）よりも腹側にあることがわかる。このような構成によると、図６に示すように、男性用下着３００を平面に載置した状態における腹側の平面視で、前立て部３２０の略中央から下方へ向けて引いた直線と交錯する縫合線３８０が視認できる。
【００３２】
このように、本実施の形態に係る男性用下着１００は、特徴的な形状（短辺が長さＬ（１））で股部用生地１６０を構成して、特徴的な位置関係（股部用生地中心線が下着中心線よりも背中側）で、この男性用下着１００の各部に縫合することにより、縫合線１８０が、図４および図５に示す従来の男性用下着２００の縫合線２８０ならびに図６および図７に示す従来の男性用下着３００の縫合線３８０よりも前身頃側（腹側）に出ないで、約３０ｍｍ程度が後身頃側（背中側）へ回り込む構成となる。これは、男性用下着１００、男性用下着２００および男性用下着３００を平面に載置した状態における腹側の平面視で、図１に示すように男性用下着１００では、前立て部１２０の略中央から下方へ向けて引いた直線と交錯する縫合線１８０が視認できないのに対して、図４に示すように男性用下着２００では、前立て部２２０の略中央から下方へ向けて引いた直線と交錯する縫合線２８０が視認できる点、および、図６に示すように男性用下着３００では、前立て部３２０の略中央から下方へ向けて引いた直線と交錯する縫合線３８０が視認できる点で大きく異なる。
【００３３】
このように本実施の形態に係る男性用下着１００においては、男性が排尿後に局部をこの男性用下着１００に収納したときに、尿道に残存等した尿がこの男性用下着１００内で滴下して、重力に従い下方（股側）へ伝搬しても、縫合線１８０が後身頃側（背中側）へ回り込んでいるので、この縫合線１８０にまで到達することがない。このため、この縫合線１８０のミシンの穿孔穴および／または縫目から尿が伝播して、この男性用下着１００の表側（すなわちアウターであるズボン側）へ滲み出すことがない。
【００３４】
一方、比較例に係る男性用下着２００、３００では、尿道に残存等した尿が男性用下着２００、３００で滴下すると、重力従い下方（股側）へ伝搬して、縫合線２８０、３８０が後身頃側（背中側）へ回り込んでいないので、この縫合線２８０、３８０まで滴下した尿が到達する可能性がある。このため、この縫合線２８０、３８０のミシンの穿孔穴および／または縫目から尿が伝播して、この男性用下着２００、３００の表側（すなわちアウターであるズボン側）へ滲み出す可能性がある。
【００３５】
＜滴下実験による評価＞
上述したような、本実施の形態に係る男性用下着１００を実施例として、男性用下着３００（男性用下着２００でも構わない）を比較例として、滴下実験による評価を行った。以下にその評価結果を説明する。
滴下実験の方法は、穴付きトルソーに実施例に係る男性用下着１００および比較例に係る男性用下着３００をそれぞれ着用させて、外尿道口の位置近傍に取り付けたチューブの開放端から所定の水分量（１ｍｌまたは２ｍｌ）を滴下した。滴下後の１分間放置して、その後、トルソーに着用された男性用下着の上に外衣を着用させ、男性用下着および外衣への水分の滲み出しを目視にて確認した。これは、排尿後、男性用下着（パンツ）に局部を収納し、外衣（ズボン）をパンツに接するように着用する（ズボン等のアウターを引き上げたり、ファスナーを閉じる）ことを模擬したことを意味する。
【００３６】
なお、実施例である男性用下着１００は、上述したように、裏側前立て部１２４において、肌側の反対の面が撥水加工されており、かつ、男性用下着１００を構成する各部を縫合する糸は、防水糸を用いている。比較例である男性用下着３００は、前立て部の生地は身頃の生地と同じであって吸水加工も撥水加工もされておらず、かつ、男性用下着３００
を構成する各部を縫合する糸は、防水糸でない通常の糸を用いている。また、外衣としては、目視確認しやすいように、グレー色の通常のボクサーパンツをアウターの代用として採用した。
【００３７】
図８の実施例に示すように、滴下量が１ｍｌであっても２ｍｌであっても、男性用下着１００においては、白色丸印で囲んだ領域に男性用下着１００の表には滲み出しているが（当然であるが男性用下着１００の裏側には滴下した水分が浸透している）、外衣には滲み出していない。これは、男性用下着１００内において、チューブの開放端から滴下された水分が、重力に従い下方（股側）へ伝搬しても、縫合線１８０が後身頃側（背中側）へ回り込んでいるために、この縫合線１８０まで到達することがないので、外衣に滲み出すことがない。
【００３８】
一方、図８の比較例に示すように、滴下量が１ｍｌであっても、男性用下着３００においては、男性用下着３００から水分が落下している。これは、男性用下着３００内において、チューブの開放端から滴下された水分が、重力に従い下方（股側）へ伝搬して、縫合線３８０が後身頃側（背中側）へ回り込んでいないので、この縫合線３８０まで到達した水分が、縫合線３８０のミシンの穿孔穴および／または縫目から水分が落下した。このような状態であるので、当然ながら、比較例においては外衣には水分が滲み出すことになる。
【００３９】
このように、実施例に係る男性用下着１００においては、滴下量を１ｍｌから２ｍｌへ変更しても男性用下着１００内部での水分の拡散量が増えていることが確認できるのみで、外衣への滲み出しはない。一方、比較例に係る男性用下着３００においては、１ｍｌの水分を滴下した時点で（外衣を着用して確認するまでもなく）男性用下着３００の縫合線３８０から水分が落下している。
【００４０】
以上のようにして、本実施の形態に係る男性用下着１００によると、股部用生地１６０は略長方形であってその短辺は男性用下着１００における太腿部の周囲長の略１／４以下であって、かつ、股部用生地１６０における腹側と背中側との略中心線が、この男性用下着１００における腹側と背中側との略中心線よりも背中側にあるように構成した。このため、男性が排尿後に局部をこの男性用下着１００に収納したときに、尿道に残存等した尿がこの男性用下着１００内で滴下して、重力に従い下方（股側）へ伝搬しても、縫合線１８０が後身頃側（背中側）へ回り込んでいるので、ミシンの穿孔穴および／または縫目が存在する縫合線１８０にまで到達することがなく、この男性用下着１００の表側（すなわちアウターであるズボン側）へ滴下した尿が滲み出すことがない。
【００４１】
＜その他の実施の形態＞
（１）上述した実施の形態に係る男性用下着１００においては、前立て部１２０が表側前立て部１２２と裏側前立て部１２４との二重構造で構成され、前開きの表側開口部を形成していた。しかしながら、本発明は、このような表側開口部を備えない前閉じタイプであっても構わない。この場合においても、前立て部は膨出部を備えるとともに、肌側の反対の面が撥水加工されており、男性が排尿後に局部をこの男性用下着に収納したときに、この男性用下着内で滴下した尿は、肌側の面により速やかに吸収されて、撥水加工された肌側の反対の面から尿が滲み出すことを防止している。
【００４２】
（２）上述した実施の形態に係る男性用下着１００においては、股部用生地１６０が前身頃（前身側脇部１３２）および後身頃１３４と別体の生地であった。しかしながら、本発明は、股部用生地が前身頃（前身側脇部１３２）と一体の生地で構成されていても構わない。この場合には、そもそも股部用生地と前身頃との縫合線（図２に示す縫合線１８０）が存在しないことになる。このため、男性用下着１００と同じように、男性が排尿後に局部を、このような縫合線１８０が存在しない男性用下着に収納したときに、尿道に残存等した尿がこの男性用下着内で滴下しても、男性用下着の表側（すなわちアウターであるズボン側）へ滲み出すことがない。
【００４３】
なお、このような縫合線１８０が存在しない男性用下着であっても、この男性用下着を着用したときには脚の動きを妨げずスムーズな動作が可能であるように構成されている。
（３）さらに、上記（２）の場合において、股部用生地が前身頃（前身側脇部１３２）
および後身頃１３４と一体の生地で構成されていても構わない。この場合には、上記（２）と同じくそもそも股部用生地と前身頃との縫合線（図２に示す縫合線１８０）が存在しないことになり、加えて、股部用生地と後身頃との縫合線（図２に示す縫合線１９０）が存在しないことになる。このため、男性用下着１００と同じように、男性が排尿後に局部を、このような縫合線１８０が存在しない男性用下着に収納したときに、尿道に残存等した尿がこの男性用下着内で滴下しても、男性用下着の表側（すなわちアウターであるズボン側）へ滲み出すことがない。
【００４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４５】
本発明は、男性用下着に好適であり、排尿後滴下があったとしてもズボン等のアウターに滲み出して汚すことのない、着用感の良好な男性用下着に特に好適である。
【符号の説明】
【００４６】
１００  男性用下着（実施例）
１２０  前立て部
１２２  表側前立て部
１２４  裏側前立て部
１３０  一体化身生地部
１３２  前身側脇部
１３４  後身頃
１４０  裾部
１５０  腰ゴム部
１６０  股部用生地
１７０、１８０、１９０  縫合線
２００、３００  男性用下着（比較例）
【図１】
2014114516.tif 000003
【図２】
2014114516.tif 000004
【図３】
2014114516.tif 000005
【図４】
2014114516.tif 000006
【図５】
2014114516.tif 000007
【図６】
2014114516.tif 000008
【図７】
2014114516.tif 000009
【図８】
2014114516.tif 000010